(57)【特許請求の範囲】
【請求項１】
装置本体にオゾン発生部が設けられてなるオゾン発生装置の取付方法であって、
室内に給気を行う給気流路内に、前記オゾン発生部を配置して固定し、前記給気流路は、制気口ボックスであることを特徴とするオゾン発生装置の取付方法。
【請求項２】
請求項１に記載のオゾン発生装置の取付方法であって、
前記オゾン発生部は、紫外線ランプ又は放電体ユニットであることを特徴とするオゾン発生装置の取付方法。
【発明の詳細な説明】
【０００１】
【発明の属する技術分野】
この発明は、オゾン発生装置の取付方法に関し、さらに詳しくは、室内空気の脱臭・除菌処理を容易に行えるオゾン発生装置の取付方法に関する。
【０００２】
【従来の技術】
従来、室内の脱臭や除菌などの目的のために、オゾンを用いることが行われている。オゾンを室内に導入する具体的な方法としては、以下に述べるような４つの方法がある。
【０００３】
（１）オゾン発生装置を別室に設置し、配管及びダクトなどを介してオゾンエア及びオゾン水を対象室に供給する。
【０００４】
（２）可搬式のオゾン発生装置を対象室内に持ち込んでオゾンエアを発生させ、室内にオゾンエアを拡散させる。
【０００５】
（３）対象室内の壁や天井にオゾン発生装置を固定して、オゾンエアを発生させる。
【０００６】
（４）オゾン水を製造する装置を別室又は同室内に設置し、配管を介して対象室の各所にオゾン水を供給して噴霧する。
【０００７】
【発明が解決しようとする課題】
しかしながら、上記した（１）の方法では、オゾン発生装置の設置の他に、配管及び散布ノズルの取り付け（敷設）工事が別途必要となるため、建物設計の時点から検討を行う必要がある。また、これら装置・設備を取り付けるための改修工事においては、天井内隠蔽の場合に取り付けが困難であり、また間仕切り変更などの対応が難しいという問題がある。このため、この方法では、取り付けに要するコストが高くなるという問題点がある。
【０００８】
上記した（２）の方法では、同時に複数の室の脱臭、除菌を行うには、複数台のオゾン発生装置が必要であり、対象室の容積が大きい場合は１室当たり複数台のオゾン発生装置を用意する必要がある。また、この方法では、オゾン発生装置を移動させることが必要であるため、頻繁に脱臭・除菌処理を行うには手間がかかり過ぎるという問題点がある。
【０００９】
上記した（３）の方法では、同時に複数室へのオゾンエアの供給が不可能である。また、この方法では、オゾン発生装置を壁や天井に固定しているため、対象室の用途変更や間仕切り変更などに対応するのが困難である。
【００１０】
上記した（４）の方法では、オゾン水製造装置自体が高価であると共に、配管工事にコストがかかるという問題点がある。特に、既存の建物に新たにオゾン水製造装置を設置する場合、オゾン水製造装置本体の設置スペース、配管ルートなどを確保する必要があり、建物構造によっては、後工事が困難になる場合ある。また、配管を露出配管にする場合、配管上部に埃が堆積して不衛生になるという問題点がある。
【００１１】
そこで、本発明の目的は、ダクト内等に設置するために新たなスペースが不要で、最小限の工事で取り付けが可能であり、しかも導入コストの低いオゾン発生装置の取付方法を提供することにある。
【００２２】
【課題を解決するための手段】
請求項５記載の発明は、装置本体にオゾン発生部が設けられてなるオゾン発生装置の取付方法であって、室内に給気を行う給気流路内に、前記オゾン発生部を配置して固定し、前記給気流路は、制気口ボックスであることを特徴としている。
【００２３】
請求項５記載の発明では、設置予定又は既存の給気流路内に、ダクトなど）にオゾン発生部を配置して固定するため、取り付けが容易でしかも設置スペースを小さくすることができる。また、請求項５記載の発明によれば、装置本体を制気口ボックスに取り付けることにより、制気口ボックス内に突出するオゾン発生部により発生したオゾンを、室内に速やかに導入することができる。制気口ボックスは、例えば室内の天井又は側壁面に配置されるため、オゾンを室内に降下させることにより、室内全体に亙ってオゾンを散布することができる。
【００２６】
請求項２記載の発明は、請求項１に記載のオゾン発生装置の取付方法であって、オゾン発生部が、紫外線ランプ又は放電体ユニットであることを特徴としている。
【００２７】
したがって、請求項２記載の発明では、請求項１に記載の発明の作用に加えて、オゾン発生部を紫外線ランプ又は放電体ユニットとすることにより、オゾン発生部の交換を容易にすることができ、メンテナンス性の高い取付方法とすることができる。なお、紫外線ランプでは、給気ダクト内の酸素が接触し又は紫外線照射を受けることにより、オゾンを生成する。このように紫外線ランプでオゾンを生成する場合は、オゾン濃度が比較的低く、室内へオゾンが悪影響を与えることを防止できると共に、室内人員に対する安全性も高く、室内管理を安全且つ容易にすることができる。放電によりオゾンを発生させる場合も同様である。
【００４４】
【発明の実施の形態】
以下、本発明に係るオゾン発生装置の取付方法を図面に示す実施形態に基づいて説明する。
【００４５】
（実施形態１）
図１及び図２は、オゾン発生装置の実施形態１を示している。オゾン発生装置１は、オゾン発生部としての紫外線ランプ２と、これら紫外線ランプ２が取り付けられる装置本体３と、装置本体３に設けられた制御部４とから大略構成されている。
【００４６】
紫外線ランプ２は、例えば１本であっても良く、或いは複数本であっても良い。本実施形態では、紫外線ランプ２として棒状の低圧水銀ランプを使用する。この紫外線ランプ２は、装置本体３に対して突出するように装着されている。また、装置本体３側には、紫外線ランプ２を装着するための図示しないソケット部が設けられている。装置本体３は、例えば図１に示すように略直方体形状であり、紫外線ランプ２を装着する側の周縁に沿って側方へ突出する取付部としてのフランジ部５が形成されている。
【００４７】
なお、装置本体３の後端部に設けられた制御部４には、配線６が接続されており、この配線６を介して電力が供給されるようになっている。制御部４では、タイマー、オゾン濃度、臭気濃度などを検知し、空調機、排気ファンなどを制御する。
【００４８】
次に、本実施形態１におけるオゾン発生装置１の取付方法及び取付構造について説明する。図１では、給気ダクト７の外周囲に設けられたグラスウールなどからなる保温材２６を省略してある。
【００４９】
まず、図１に示すように、給気流路としての給気ダクト７の一側面７Ａに長方形状の取付開口部８を形成する。次に、この取付開口部８にオゾン発生装置１の複数の紫外線ランプ２を挿入して、給気ダクト７内に紫外線ランプ２を突出させる。そして、装置本体３に形成されたフランジ部５を、取付開口部８の周縁部分に当接させて例えば図示しない締結手段であるボルト・ナットによりネジ止めする。図２は、オゾン発生装置１を給気ダクト７に取り付けた状態を示す断面図である。
【００５０】
このような本実施形態１では、装置本体３のフランジ部５を、給気ダクト７のの周壁（一側面７Ａ）に固定することにより、紫外線ランプ２を給気ダクト７内に突出するように配置することが可能となる。そして、給気ダクト７内に配置された紫外線ランプ２により、給気ダクト７内を流れる酸素が当該紫外線ランプ２に衝突してオゾンになる。この結果、給気ダクト７内のオゾンは、給気ダクト７内を流通する空気とともに図示しない室内へ導入され、室内の臭気や浮遊菌及び付着菌に作用して脱臭、除菌を行う。このように本実施形態１では、給気ダクト７に対して装置本体３のフランジ部５を固定するだけでよいため、取付作業性を高めることができる。なお、室内としては、厨房、病院の各種の室、ホテルの厨房や客室、畜産飼育場、トイレ、居室、倉庫、老人ホーム、給食室など各種の室が適用され、これらに制限されない。
【００５１】
また、本実施形態１では、オゾン発生部を紫外線ランプ２としたことにより、オゾン発生部の交換を容易に行うことができる。紫外線ランプ２では、給気ダクト７内の酸素が接触し又は紫外線照射を受けることにより、オゾンを生成する。このように紫外線ランプ２でオゾンを生成させる場合は、オゾン濃度が比較的低く、室内へオゾンが悪影響を与えることを防止できるため、室内人員に対する安全性も高く、室内管理を安全且つ容易にすることができる。
【００５２】
さらに、本実施形態１では、紫外線ランプ２が給気ダクト内に収納されるため、例えば天井裏の設置スペースを小さくすることができる。
【００５３】
（実施形態２）
図３は、本発明に係るオゾン発生装置１を給気ダクト（サプライダクト）７に連通するように設けられた制気口ボックス９に取り付けた取付構造を示している。なお、オゾン発生装置１の構成は、上記した実施形態１と同様である。
【００５４】
本実施形態２では、図３に示すように、室内Ｒの天井１０に設けられたアモネ（吹き出し口）１１の上方に配設された制気口ボックス９の上面壁部９Ａにオゾン発生装置１を取り付けている。このため、紫外線ランプ２は、制気口ボックス９の上面から垂下するように配置されている。また、制気口ボックス９とアネモ１１との間は、垂直ダクト１２で連通されている。さらに、制気口ボックス９の側面には、外気導入又は循環を行う給気ダクト７が連通するように接続されている。
【００５５】
本実施形態２では、装置本体３を制気口ボックス９に取り付けることにより、制気口ボックス９内に突出する紫外線ランプ２によって生成されたオゾンを、室内Ｒに速やかに導入することができる。制気口ボックス９は、室内Ｒの略直上に配置されるため、オゾンを室内Ｒに降下させることにより、室内Ｒ全体に亙ってオゾンを散布することができる。
【００５６】
（実施形態３）
図４〜図６は、オゾン発生装置の取付方法並びに取付構造を示す実施形態３を示している。図４は本実施形態３の取付方法を示す分解斜視図、図５は挿入用ユニットの正面図、図６は挿入用ユニットの側面図である。なお、図４〜図６では、給気ダクト７の外周囲に設けられたグラスウールなどからなる保温材２６を省略してある。
【００５７】
本実施形態３では、室内に給気を行う給気ダクト７と断面形状が略同一の挿入用ダクト１３を用意する。次に、この挿入用ダクト１３にオゾン発生装置１を取り付けて挿入用ユニット１４を作製する。そして、給気ダクト７の所定部分を挿入用ユニット１４と同一長さ寸法分だけ取り除き、挿入用ユニット１４を給気ダクト７の取り除かれた箇所に挿入して、挿入用ユニット１４の端縁に形成されたフランジ部１４Ａを給気ダクト７の端縁に形成されたフランジ部７Ｂに当接させて固定する。
【００５８】
このような構成の実施形態３は、新たに設置する給気ダクト７もしくは既存の給気ダクト７に対してオゾン発生装置１を容易に取り付けることが可能となる。
（実施形態４）
図７は、オゾン発生装置の取付方法並びに取付構造を示す斜視図である。図７では、給気ダクト７の外周囲に設けられたグラスウールなどからなる保温材２６を省略してある。なお、本実施形態におけるオゾン発生装置１の構成は、上記した実施形態１と略同様であるため、その説明は省略する。
【００５９】
本実施形態４では、給気ダクト７が断面円形状の管からなり、給気ダクト７の周壁に装置本体３を取り付けて紫外線ランプ２を給気ダクト７内に突出するように配置している。
【００６０】
なお、本実施形態４においては、給気ダクト７に直接オゾン発生装置１を取り付ける構成としてもよい。同図中、符号１５は吊りボルトである。
【００６１】
また、図８は、実施形態４の変形例を示している。この変形例では、給気ダクト７にバイパスダクト１６を形成し、このバイパスダクト１６に挿入用ユニット１７を挿入した構造である。この挿入用ユニット１７は、円管状の挿入用バイパスダクト１９にオゾン発生装置１を取り付けると共に、挿入用バイパスダクト１９内の紫外線ランプ２に所定量の送風を行うファン１８が設けられている。このため、適切な風量によって生成されたオゾンを給気ダクト７へ導入することができる。なお、本変形例は円管状の給気ダクト及びバイパスダクト１６に適用したが、角筒状の給気ダクトやバイパスダクトにも勿論適用可能である。
【００６２】
（実施形態５）
図９及び図１０は、オゾン発生装置の取付構造の実施形態５を示している。なお、本実施形態５においてもオゾン発生装置１の構成は、上記した実施形態１と同様である。本実施形態５は、室内Ｒの天井が図９に示すように下がり天井である場合に本発明を適用した例である。図中、符号２０は下がり天井面であり、符号２１は下がり天井の立ち上がり面を示している。下がり天井の上方には、ファンコイルユニット２２が吊りボルト２３により吊り下げられている。ファンコイルユニット２２と立ち上がり面２１の吹き出し口２１Ａとの間は、単管ダクト２４で連通されている。この単管ダクト２４の両側部には、紫外線ランプ２が単管ダクト２４内に突出するように、それぞれオゾン発生装置１が取り付けられている。なお、図９中、符号２５は、フィルタを備えると共に点検口を兼ねる吸込口を示している。
【００６３】
本実施形態５では、オゾン発生装置１を吹き出し口２１Ａの近傍の給気流路である単管ダクト２４に配置しているため、室内Ｒに速やかにオゾンを導入することができる。また、吹き出し口２１Ａは、室内Ｒの直上に配置されるため、オゾンを室内に降下させることにより、室内全体に亙ってオゾンを散布することができる。
【００６４】
以上、実施形態１〜実施形態５について説明したが、本発明はこれらに限定されることなく、本発明構成の要旨に付随する各種の設計変更が可能である。
【００６５】
例えば、上記した各実施形態では、オゾン発生部として紫外線ランプ２を適用したが、他のオゾン発生メカニズムを有するオゾン発生手段、例えば放電方式のオゾン発生部を適用してもよい。
【００６７】
また、本発明のオゾン発生装置を設置する場所としては、前述した場所以外に、例えば業務用冷凍・冷蔵庫、ショーケース、食品包装場、診察室、待合室、手術室、ロッカー、厨芥保管室などが挙げられる。
【００７２】
【発明の効果】
請求項１記載の発明によれば、オゾン発生部を給気流路内に配置するようにしてあるため、オゾン発生装置を容易に取り付けることができると共に、オゾンを給気流路内へ確実に供給でき、且つ設置スペースを小さくするという効果がある。また、請求項１記載の発明によれば、給気流路を制気口ボックスとしたことで、オゾンを室内に速やかに導入する効果があり、また、室内全体に亙ってオゾンを散布できるという効果がある。
【００７４】
請求項２記載の発明では、請求項１に記載の発明の効果に加えて、オゾン発生部を紫外線ランプ又は放電体ユニットとすることにより、オゾン発生部の交換を容易にすることができ、メンテナンス性の高い取付方法を実現することができる。また、紫外線ランプでオゾンを生成する方式では、オゾン濃度が比較的低く、室内へオゾンが悪影響を与えることを防止できると共に、窒素化合物の発生の危険が無いため、室内人員に対する安全性も高く、室内管理を安全且つ容易にする効果がある。放電方式によりオゾンを発生させる放電体ユニットを用いた場合も同様である。
【図面の簡単な説明】
【図１】  オゾン発生装置の実施形態１を示す分解斜視図である。
【図２】  実施形態１の取付構造を示す断面図である。
【図３】  オゾン発生装置の実施形態２を示す説明図である。
【図４】  オゾン発生装置の実施形態３を示す分解斜視図である。
【図５】  実施形態３のオゾン発生装置を備える挿入用ユニットの正面図である。
【図６】  実施形態３のオゾン発生装置を備える挿入用ユニットの側面図である。
【図７】  オゾン発生装置の実施形態４を示す説明図である。
【図８】  実施形態４の変形例を示す側面図である。
【図９】  オゾン発生装置の実施形態５を示す側面説明図である。
【図１０】  実施形態５の正面図である。
【符号の説明】
１  オゾン発生装置
２  紫外線ランプ
３  装置本体
５  フランジ部
７  給気ダクト
８  取付開口部
９  制気口ボックス
１０  天井
１４  挿入用ユニット
１６  バイパスダクト
１７  挿入用バイパスユニット
１８  ファン
２４  単管ダクト
【図１】
0004454809.tif 000002
【図２】
0004454809.tif 000003
【図３】
0004454809.tif 000004
【図４】
0004454809.tif 000005
【図５】
0004454809.tif 000006
【図６】
0004454809.tif 000007
【図７】
0004454809.tif 000008
【図８】
0004454809.tif 000009
【図９】
0004454809.tif 000010
【図１０】
0004454809.tif 000011